【手続補正書】
【提出日】令和2年4月30日(2020.4.30)
【手続補正１】
【補正対象書類名】特許請求の範囲
【補正対象項目名】全文
【補正方法】変更
【補正の内容】
【特許請求の範囲】
【請求項１】
記録媒体にインクを付与して未加圧画像を形成する第一のインク付与工程と、
前記未加圧画像に圧力が加わり、画像を形成する加圧工程と、を含み、
前記インクが、水、有機溶剤、及び色材を含有し、
前記インクを用いて形成されたインク膜を剛体振り子試験により測定した６０℃における対数減衰率の最大値が１．５０以下であり、かつ前記対数減衰率の最大値になる時間が３，８００秒間以下であることを特徴とする画像形成方法。
【請求項２】
前記記録媒体が、連続紙であり、
前記加圧工程が、前記記録媒体をロール状に巻き取る巻取工程である請求項１に記載の画像形成方法。
【請求項３】
前記圧力が、３．５ｋｇ／ｃｍ２以上８．０ｋｇ／ｃｍ２以下である請求項１から２のいずれかに記載の画像形成方法。
【請求項４】
前記加圧工程後の連続紙に、インクを付与して画像を形成する第二のインク付与工程をさらに含む請求項２から３のいずれかに記載の画像形成方法。
【請求項５】
前記記録媒体が、支持体と、前記支持体の少なくとも一方の面側に設けられた塗工層と、を有し、
動的走査吸液計により測定した接触時間１００ｍｓにおける純水の前記記録媒体への転移量が、２ｍＬ／ｍ２以上３５ｍＬ／ｍ２以下であり、かつ前記接触時間４００ｍｓにおける純水の前記記録媒体への転移量が、３ｍＬ／ｍ２以上４０ｍＬ／ｍ２以下である請求項１から４のいずれかに記載の画像形成方法。
【請求項６】
前記記録媒体が、連続紙であり、
前記加圧工程における前記圧力が、前記インクを付与した後の前記連続紙をロール状に巻くことにより生じ、
前記記録媒体が、支持体と、前記支持体の少なくとも一方の面側に設けられた塗工層と、を有し、動的走査吸液計により測定した接触時間１００ｍｓにおける純水の前記記録媒体への転移量が、２ｍＬ／ｍ２以上３５ｍＬ／ｍ２以下であり、かつ前記接触時間４００ｍｓにおける純水の前記記録媒体への転移量が、３ｍＬ／ｍ２以上４０ｍＬ／ｍ２以下である請求項１に記載の画像形成方法。
【請求項７】
前記インクが、ウレタン樹脂粒子をさらに含む請求項１から６のいずれかに記載の画像形成方法。
【請求項８】
前記有機溶剤が、グリコールエーテル化合物を含む請求項１から７のいずれかに記載の画像形成方法。
【請求項９】
前記グリコールエーテル化合物が、水酸基を有さないグリコールエーテル化合物である請求項８に記載の画像形成方法。
【請求項１０】
前記グリコールエーテル化合物が、下記一般式（１）で表される請求項９に記載の画像形成方法。
【化１】
2018079687.tif 000001
ただし、前記一般式（１）中、Ｒ１は、水素原子、又は炭素数１以上１０以下のアルキル基を表し、Ｒ２、及びＲ３は、それぞれ独立に、炭素数１以上１０以下のアルキル基を表し、ｎは１以上５以下の整数を表す。
【請求項１１】
前記ウレタン樹脂粒子の含有量（質量％）と、前記グリコールエーテル化合物の含有量（質量％）との質量比（グリコールエーテル化合物／ウレタン樹脂粒子）が、０．４以上１．８以下である請求項８から１０のいずれかに記載の画像形成方法。
【請求項１２】
前記インク膜を剛体振り子試験により測定した６０℃における対数減衰率の最大値が０．０１以上１．３０以下であり、かつ前記対数減衰率の最大値になる時間が１００秒間以上３，０００秒間以下である請求項１から１１のいずれかに記載の画像形成方法。
【請求項１３】
前記グリコールエーテル化合物の含有量が、インク全量に対して、２．０質量％以上８．０質量％以下である請求項８から１２のいずれかに記載の画像形成方法。
【請求項１４】
インクと、
記録媒体に前記インクを付与して未加圧画像を形成する第一のインク付与手段と、
前記未加圧画像に圧力を加えて、画像を形成する加圧手段と、を有し、
前記インクが、水、有機溶剤、及び色材を含有し、
前記インクを用いて形成されたインク膜を剛体振り子試験により測定した６０℃における対数減衰率の最大値が１．５０以下であり、かつ前記対数減衰率の最大値になる時間が３，８００秒間以下であることを特徴とする画像形成装置。
【請求項１５】
インクと、
記録媒体に前記インクを付与して未加圧画像を形成する第一のインク付与手段と、
前記未加圧画像に圧力を加えて、画像を形成する加圧手段と、を有し、
前記インクが、水、有機溶剤、及び色材を含有し、
前記インクを用いて形成されたインク膜を剛体振り子試験により測定した６０℃における対数減衰率の最大値が１．５０以下であり、かつ前記対数減衰率の最大値になる時間が３，８００秒間以下であることを特徴とする画像形成システム。
【請求項１６】
記録媒体にインクを付与して未加圧画像を形成する第一のインク付与工程と、
前記未加圧画像に圧力が加わり、画像を形成する加圧工程と、を含み、
前記インクが、水、有機溶剤、及び色材を含有し、
前記インクを用いて形成されたインク膜を剛体振り子試験により測定した６０℃における対数減衰率の最大値が１．５０以下であり、かつ前記対数減衰率の最大値になる時間が３，８００秒間以下であることを特徴とする印刷物の製造方法。
【請求項１７】
連続紙にインクを付与して画像を形成する第一のインク付与工程と、
前記画像が形成された前記連続紙をロール上に巻き取る巻取工程と、を含み、
前記インクが、水、有機溶剤、及び色材を含有し、
前記インクを用いて形成されたインク膜を剛体振り子試験により測定した６０℃における対数減衰率の最大値が１．５０以下であり、かつ前記対数減衰率の最大値になる時間が３，８００秒間以下であることを特徴とする画像形成方法。
【請求項１８】
前記インク膜を剛体振り子試験により測定した６０℃における対数減衰率の最大値が０．０１以上１．５０以下であり、かつ前記対数減衰率の最大値になる時間が１００秒間以上３，０００秒間以下である請求項１７に記載の画像形成方法。
【請求項１９】
前記インク膜を剛体振り子試験により測定した６０℃における対数減衰率の最大値が０．７以上１．５０以下であり、かつ前記対数減衰率の最大値になる時間が１００秒間以上３，０００秒間以下である請求項１７から１８のいずれかに記載の画像形成方法。
【請求項２０】
前記有機溶剤が、１，２−ブタンジオールと２−ピロリドンを含む請求項１７から１９のいずれかに記載の画像形成方法。
【請求項２１】
前記有機溶剤が、グリコールエーテル化合物を含む請求項１７から２０のいずれかに記載の画像形成方法。
【請求項２２】
前記インクが、ウレタン樹脂、ポリエステル樹脂、アクリル系樹脂、酢酸ビニル系樹脂、スチレン系樹脂、ブタジエン系樹脂、スチレン−ブタジエン系樹脂、塩化ビニル系樹脂、アクリル−スチレン系樹脂、及びアクリル−シリコーン系樹脂の少なくともいずれかを含む請求項１７から２１のいずれかに記載の画像形成方法。
【請求項２３】
前記インクが、ウレタン樹脂を含む請求項２２に記載の画像形成方法。
【請求項２４】
前記インク中の前記有機溶剤の含有量は、１０質量％以上６０質量％以下である請求項１７から２３のいずれかに記載の画像形成方法。
【請求項２５】
前記インク中の前記有機溶剤の含有量は、２０質量％以上６０質量％以下である請求項２４に記載の画像形成方法。
【請求項２６】
前記第一のインク付与工程において、インクを付与する対象である前記連続紙を給紙する給紙工程を有する請求項１７から２５のいずれかに記載の画像形成方法。
【請求項２７】
水、有機溶剤、及び色材を含有するインクであって、
前記インクを用いて形成されたインク膜を剛体振り子試験により測定した６０℃における対数減衰率の最大値が１．５０以下であり、かつ前記対数減衰率の最大値になる時間が３，８００秒間以下であることを特徴とするインク。
【請求項２８】
前記インク膜を剛体振り子試験により測定した６０℃における対数減衰率の最大値が０．０１以上１．５０以下であり、かつ前記対数減衰率の最大値になる時間が１００秒間以上３，０００秒間以下である請求項２７に記載のインク。
【請求項２９】
前記インク膜を剛体振り子試験により測定した６０℃における対数減衰率の最大値が０．７以上１．５０以下であり、かつ前記対数減衰率の最大値になる時間が１００秒間以上３，０００秒間以下である請求項２７から２８のいずれかに記載のインク。
【請求項３０】
前記有機溶剤が、１，２−ブタンジオールと２−ピロリドンを含む請求項２７から２９のいずれかに記載のインク。
【請求項３１】
前記有機溶剤が、グリコールエーテル化合物を含む請求項２７から３０のいずれかに記載のインク。
【請求項３２】
前記インクが、ウレタン樹脂、ポリエステル樹脂、アクリル系樹脂、酢酸ビニル系樹脂、スチレン系樹脂、ブタジエン系樹脂、スチレン−ブタジエン系樹脂、塩化ビニル系樹脂、アクリル−スチレン系樹脂、及びアクリル−シリコーン系樹脂の少なくともいずれかを含む請求項２７から３１のいずれかに記載のインク。
【請求項３３】
前記インクが、ウレタン樹脂を含む請求項３２に記載のインク。
【請求項３４】
前記インク中の前記有機溶剤の含有量は、１０質量％以上６０質量％以下である請求項２７から３３のいずれかに記載のインク。
【請求項３５】
前記インク中の前記有機溶剤の含有量は、２０質量％以上６０質量％以下である請求項３４に記載のインク。
【請求項３６】
インクと、
連続紙に対してインクを付与するインクジェットヘッドと、
画像が付与された連続紙を巻き取る巻き取り装置と、を有し、
前記インクが、水、有機溶剤、及び色材を含有し、
前記インクを用いて形成されたインク膜を剛体振り子試験により測定した６０℃における対数減衰率の最大値が１．５０以下であり、かつ前記対数減衰率の最大値になる時間が３，８００秒間以下であることを特徴とする画像形成装置。
【請求項３７】
前記インク膜を剛体振り子試験により測定した６０℃における対数減衰率の最大値が０．０１以上１．５０以下であり、かつ前記対数減衰率の最大値になる時間が１００秒間以上３，０００秒間以下である請求項３６に記載の画像形成装置。
【請求項３８】
前記インク膜を剛体振り子試験により測定した６０℃における対数減衰率の最大値が０．７以上１．５０以下であり、かつ前記対数減衰率の最大値になる時間が１００秒間以上３，０００秒間以下である請求項３６から３７のいずれかに記載の画像形成装置。
【請求項３９】
前記有機溶剤が、１，２−ブタンジオールと２−ピロリドンを含む請求項３６から３８のいずれかに記載の画像形成装置。
【請求項４０】
前記有機溶剤が、グリコールエーテル化合物を含む請求項３６から３９のいずれかに記載の画像形成装置。
【請求項４１】
前記インクが、ウレタン樹脂、ポリエステル樹脂、アクリル系樹脂、酢酸ビニル系樹脂、スチレン系樹脂、ブタジエン系樹脂、スチレン−ブタジエン系樹脂、塩化ビニル系樹脂、アクリル−スチレン系樹脂、及びアクリル−シリコーン系樹脂の少なくともいずれかを含む請求項３６から４０のいずれかに記載の画像形成装置。
【請求項４２】
前記インクが、ウレタン樹脂を含む請求項４１に記載の画像形成装置。
【請求項４３】
前記インク中の前記有機溶剤の含有量は、１０質量％以上６０質量％以下である請求項３６から４２のいずれかに記載の画像形成装置。
【請求項４４】
前記インク中の前記有機溶剤の含有量は、２０質量％以上６０質量％以下である請求項４３に記載の画像形成装置。
【請求項４５】
更に、連続紙を給紙する給紙装置を有する請求項３６から４４のいずれかに記載の画像形成装置。